(57)【要約】【課題】高さが低いコンテナであっても、より高さの高いカードを食み出すことなく保持することができ、しかも中材を使用しても、食み出すことなく保持できるカードの高さの制限を緩和しつつ、作業性よく折り畳み作業を行うことができるようにする。【解決手段】底板１０と、該底板１０の対向する一対の第１の側縁部１８に起倒自在に取付けた第１の側板１２と、対向する他の一対の第２の側縁部２２に起倒自在に取付けた第２の側板１４を有する折り畳みコンテナであって、底板１０の側縁部２２の外面に、カード２６を着脱自在に押えて保持するカード取付部３０を設けた。【選択図】　　　　図２
2004075166.tif 000002
【特許請求の範囲】
【請求項１】
底板と、該底板の対向する一対の第１の側縁部に起倒自在に取付けた第１の側板と、対向する他の一対の第２の側縁部に起倒自在に取付けた第２の側板を有する折り畳みコンテナであって、
前記底板の側縁部外面に、カードを着脱自在に押えて保持するカード取付部を設けたことを特徴とする折り畳みコンテナ。
【請求項２】
前記カード取付部は、カードの下縁部を差し込んで押える下縁押え部と、カードの下部側縁部を差し込んで押える一対の側縁押え部からなることを特徴とする請求項１記載の折り畳みコンテナ。
【請求項３】
前記側縁押え部は、長さ方向に沿った中央部に開口部の幅が狭くなる挟持部を有することを特徴とする請求項２記載の折り畳みコンテナ。
【請求項４】
前記底板には、中材が一体成形されていることを特徴とする請求項１乃至３のいずれかに記載の折り畳みコンテナ。
【請求項５】
前記底板の第２の側縁部は、第１の側縁部よりも高さが高く設定され、この第２の側縁部外面に前記カード取付部が設けられていることを特徴とする請求項１乃至４のいずれかに記載の折り畳みコンテナ。
【発明の詳細な説明】
【０００１】
【発明の属する技術分野】
本発明は、折り畳みコンテナに係り、特にカード取付部にカードを差し込んだまま折り畳みが行えるようにした折り畳みコンテナに関する。
【０００２】
【従来の技術】
底板の周縁部に側板を起倒自在に取付け、これらの側板を起立させてボックス状のコンテナを組立て、この状態で、コンテナ内に各種商品や部品等を収納して運搬し、運搬終了後に、側板を倒して折り畳むことで、返送時や保管時等の非収容時における省スペース化を図った折り畳みコンテナが一般に知られている。
【０００３】
この種の折り畳みコンテナにおいては、その起倒自在な側板の外面に、収納商品や部品に対する必要事項や出荷先等を記載したカードを差し込んで保持するカード取付部を設け、このカード取付部にカードを差し込んだ状態で、物流に供することが一般に行われている。このカードには、一般にバーコードが付けられており、このバーコードは、例えば所定の高さ位置に固定したバーコード読み取り機で読み取られる。
【０００４】
また、例えばトルクコンバータ等の複雑な形状をした各種機械や、ディスク状の物品等の運搬専用に使用し、かつ折り畳み化を図った折り畳みコンテナとしては、底板上面にこれらの部品を移動不能に固定する中材を着脱自在に設け、運搬時に中材を取付けて物品を固定しておき、折り畳み時に中材を取外してから折り畳むようにしたものが開発されている（例えば、特開平１０−３５７５５号公報等参照）。
【０００５】
【発明が解決しようとする課題】
しかしながら、起倒自在な側板にカード取付部を設けた従来の折り畳みコンテナにあっては、コンテナの高さが低くなると、側板の高さも低くなり、このため、この側板より高さの高いカードを保持しようとすると、カードの一部（上部）がコンテナの上面から上方に食み出してしまう。つまり、高さが低いコンテナにあっては、食み出すことなく保持できるカードの高さに一定の制限が生じてしまう。
【０００６】
また、底板上面に中材を着脱自在に設け、折り畳む際に中材を取外してから折り畳むようにした従来の折り畳みコンテナにあっては、この中材を取外す作業がかなり面倒で、作業性が悪くなる。これを防止するため、中材と底板とを一体成形することも考えられるが、このように、中材と底板とを一体成形すると、中材が底板から上方に突出し、水平に折り畳んだときの中材と側板との干渉を避けるためには、側板の底板との回動部（ヒンジ部）を中材の高さに見合った高さ位置に設定する必要があり、その分、側板の高さが低くなって、前述と同様に、食み出すことなく保持できるカードの高さに一定の制限が生じてしまう。しかも、カードの保持位置が高くなって、このカードに付されたバーコード等を読み取る際には、設備を変更する必要が生じてしまう。
【０００７】
本発明は上記事情に鑑みて為されたもので、高さが低いコンテナであっても、より高さの高いカードを食み出すことなく保持することができ、しかも中材を使用しても、食み出すことなく保持できるカードの高さの制限を緩和しつつ、作業性よく折り畳み作業を行うことができるようにした折り畳みコンテナを提供することを目的とする。
【０００８】
【課題を解決するための手段】
上記目的を達成するため、本発明の折り畳みコンテナは、底板と、該底板の対向する一対の第１の側縁部に起倒自在に取付けた第１の側板と、対向する他の一対の第２の側縁部に起倒自在に取付けた第２の側板を有する折り畳みコンテナであって、前記底板の側縁部外面に、カードを着脱自在に押えて保持するカード取付部を設けたことを特徴とする。
【０００９】
このように、底板の側縁部外面にカード取付部を設け、このカード取付部で保持するカードの下端を側板よりも下方に位置する底板まで下げることで、高さが低いコンテナであっても、より高さの高いカードを食み出すことなく保持することができる。
【００１０】
前記カード取付部は、例えばカードの下縁部を差し込んで押える下縁押え部と、カードの下部側縁部を差し込んで押える一対の側縁押え部からなる。これにより、カードをその下縁部と下部両側縁部の３辺で押えて保持することで、カードの脱落を防止することができる。
【００１１】
前記側縁押え部は、長さ方向に沿った中央部に開口部の幅が狭くなる挟持部を有することが好ましい。これにより、カードの下部側縁部を差し込んで保持する側縁押え部の上部開口部の幅を拡げてカードを差し込み易くするとともに、差し込んだカードを挟持部で確実に挟持してカードの脱落を防止することができる。
【００１２】
前記底板には、中材が一体成形されていてもよい。このように底板と中材とを一体成形することで、折り畳みの際に中材を一々取外すといった、面倒で作業性の悪い作業を行う必要をなくすことができる。しかも、前述のように、底板の側縁部外面にカード取付部を設けることで、食み出すことなく保持できるカードの高さの制限を緩和し、しかもバーコード等の読み取り位置が通常のボックス状のコンテナと同じ位置となるようにカードを保持することで、設備を変更することなく、通常のボックス状のコンテナと同じように、カードに付されたバーコード等を読み取ることができる。
【００１３】
前記カード取付部は、好ましくは、前記底板の第１の側縁部よりも高く設定された第２の側縁部外面に設けられる。これにより、カード取付部が設けられる領域を拡げ、例えばカードの下部側縁部を差し込んで押える側縁押え部の長さをより長くして、カードの脱落をより確実に防止することができる。
【００１４】
【発明の実施の形態】
以下、本発明の実施の形態を図面を参照して説明する。
図１乃至図７は、本発明の実施の形態の折り畳みコンテナを示す。この折り畳みコンテナは、例えばプラスチック製の矩形状の底板１０と、この底板１０の矩形枠状の周縁部の互いに対向する位置に起倒自在に取付けた一対の第１の側板１２と、互いに対向する他の位置に取付けた一対の第２の側板１４とから主に構成されている。
【００１５】
底板１０には、運搬の際に、例えばトルクコンバータ等の機械部品を移動不能に固定する略円筒状の中材１６が、中央に位置し底面から上方に突出して底板１０と一体成形されている。このように、底板１０と中材１６を一体成形することによって、底板１０を中材１６で補強して、底板１０としての十分な強度を有するようにすることができる。しかも、中材１６を底板１０と一体成形することで、中材１６を取外すといった面倒で作業性の悪い作業を行うことなく、側板１２，１４の折り畳みを行えるようになっている。
なお、中材としては、運搬する物品によって該物品の形状に合った任意の形状のものが使用され、また中材として、中仕切りを使用してよい。
【００１６】
このように、中材１６と底板１０とを一体成形すると、通常の折り畳みコンテナのような、底板の上面に一方の側板を、該側板の上面に他方の側板をそれぞれ接触乃至近接させて折り畳むようにした構成を採用すると、側板を水平な状態に折り畳む時に、この中材１６と側板が互いに干渉してしまう。このため、この例では、以下のような構成が備えられている。
【００１７】
つまり、底板１０の対向する一方の周縁部には、図３及び図４に示すように、上方に立ち上がった第１の側縁部１８が一体に連接され、この第１の側縁部１８の上端に前記第１の側板１２がヒンジ部（回動部）２０を介して起倒（回動）自在に取付けられている。そして、このヒンジ部２０の高さ位置は、中材１６の高さに応じた位置に設定されている。つまり、このヒンジ部２０を介して第１の側板１２を内方に折り畳んだ時、この第１の側板１２の下面が上方に突出した中材１６の上面に接触して、第１の側板１２が水平状態となるようになっている。
【００１８】
底板１０の対向する他方の周縁部には、図５及び図６に示すように、上方に立ち上がった第２の側縁部２２が一体に連接され、この第２の側縁部２２の上端に前記第２の側板１４がヒンジ部（回動部）２４を介して起倒（回動）自在に取付けられている。そして、このヒンジ部２４の高さ位置は、中材１６の高さに応じ、更に第１の側板１２の肉厚を加えた位置に設定されている。つまり、このヒンジ部２４を介して第２の側板１４を内方に折り畳んだ時、この第２の側板１４の下面が、前述のようにして、先に折り畳んだ第１の側板１２の上面に接触乃至近接して水平状態となるようになっている。
【００１９】
これにより、中材１６に干渉されることなく、中材１６の上に第１の側板１２を、この第１の側板１２の上に第２の側板１４を、それぞれ水平な状態に折り畳むことができる。
【００２０】
このように、第１の側板１２及び第２の側板１４を、中材１６の高さに見合った高さ位置に設置すると、その分、第１の側板１２及び第２の側板１４の高さが低くなる。このため、従来の一般的な折り畳みコンテナのように、第１の側板１２または第２の側板１４の外面にカード取付部を設け、このカード取付部でカードを押えて保持すると、高さの高いカードでは、その一部（上部）がコンテナの上面から上方に食み出してしまう。そこで、この例では、より高い高さを有するカードであっても、食み出すことなく保持できるようにするため、以下のような構成が備えられている。
【００２１】
つまり、この例では、第２の側縁部２２の方が、下方に折り畳まれる第１の側板１２の肉厚に見合った分だけ、第１の側縁部１８より高さが高くなるようになっており、この高さの高い第２の側縁部２２の外面に、矩形状のカード２６を差し込んで保持するカード取付部３０が設けられている。つまり、このカード取付部３０は、上方に向けて開口した横断面鈎状で、第２の側縁部２２の下部に水平方向に延びて設けられ、カード２６の下縁部を差し込んで押える下縁押え部３２と、内方に向けて開口した横断面鈎状で、第２の側縁部２２の側部に鉛直方向に延びて設けられ、カード２６の下部側縁部を差し込んで押える一対の側縁押え部３４とから構成されている。
【００２２】
これにより、カード２６の両側縁部を一対の側縁押え部３４内に位置させながら、カード２６を該カード２６の下端が下縁押え部３２の底部に達するまで下方に向けて差し込み、これによって、カード２６の下縁部を下縁押え部３２で、下部両側縁部を一対の側縁押え部３４でそれぞれ押えて保持するのであり、このように、カード２６をその下縁部と下部両側縁部の３辺で押えて保持することで、カード２６の脱落を防止することができる。
【００２３】
ここで、側縁押え部３４の長さ方向に沿った中央部には、図７に示すように、開口部の幅が狭くなる挟持部３４ａが設けられ、上端開口部は、この挟持部３４ａをより開口部の幅が広くなるように構成されている。これにより、カード２６を側縁押え部３４内に差し込み易くするとともに、差し込んだカード２６を挟持部３４ａで確実に挟持してカード２６の脱落を防止することができる。
【００２４】
このように、カード２６の下部を底板１０の第２の側縁部２２まで下げた状態で該第２の側縁部２２に設けたカード取付部３０（下縁押え部３２及び一対の側縁押え部３４）で押えて保持することで、第２の側板１４の高さが低くても、より高い高さを有するカード２６をコンテナの上面から上方に食み出すことなく保持することができる。しかもバーコード等の読み取り位置が通常のボックス状のコンテナと同じ位置となるようにカード２６を保持することで、設備を変更することなく、通常のボックス状のコンテナと同じように、カードに付されたバーコード等を読み取ることができる。
【００２５】
なお、この例では、第２の側縁部２２の外面にカード取付部３０を設け、これによって、カード取付部３０が設けられる領域を拡げ、カード２６の下部側縁部を差し込んで押える側縁押え部３４の長さをより長くして、カード２６の脱落をより確実に防止するようにしているが、第１の側縁部１８の外面にカード取付部を設けるようにしても良い。
【００２６】
また、底板として平板状のものを使用した、一般の折り畳みコンテナに適用するようにしてもよく、特に高さの低い折り畳みコンテナに適用した場合に、カード取付部で保持するカードの下端を側板よりも下方に位置する底板まで下げることで、高さが低いコンテナであっても、より高さの高いカードを食み出すことなく保持することができる。
更に、カード取付部として、通常一般に使用されているばね性を有する板ばね形状または矩形状のカード取付部を使用してもよい。また、これらのカード取付部は、予め成形された部材を公知の手段にて側縁部に設置することにより構成することもできる。
【００２７】
【発明の効果】
以上説明したように、本発明によれば、高さが低いコンテナであっても、より高さの高いカードを食み出すことなく保持することができる。更に、中材が一体成形された折り畳みコンテナに適用することで、折り畳みの際に中材を一々取外すといった、面倒で作業性の悪い作業を行う必要をなくし、しかも、食み出すことなく保持できるカードの高さの制限を緩和するとともに、設備を変更することなく、通常のボックス状のコンテナと同じように、カードに付されたバーコード等を読み取ることができる。
【図面の簡単な説明】
【図１】本発明の実施の形態における折り畳みコンテナの、上半分に平面を、下半分に底面を示す図である。
【図２】図１の左側面図である。
【図３】図１の第１の側板を起立させた状態のＡ−Ａ線断面図である。
【図４】図１の第１の側板の一方を折り畳んだ状態のＡ−Ａ線断面図である。
【図５】図１の、左半分にＢ−Ｂ線に沿った断面を、右半分に正面を示す図である。
【図６】図１の第２の側板を折り畳んだ状態のＢ−Ｂ線断面図である。
【図７】図６の一部を拡大して示す要部拡大断面図である。
【符号の説明】
１０　底板
１２　第１の側板
１４　第２の側板
１６　中材
１８　第１の側縁部
２０，２４　ヒンジ部
２２　第２の側縁部
２６　カード
３２　下縁押え部
３４　側縁押え部
３４ａ　挟持部
【図１】
2004075166.tif 000003
【図２】
2004075166.tif 000004
【図３】
2004075166.tif 000005
【図４】
2004075166.tif 000006
【図５】
2004075166.tif 000007
【図６】
2004075166.tif 000008
【図７】
2004075166.tif 000009